(57)【要約】      （修正有）【課題】使用上の操作性を向上させることができる表示シート構造を提供する。【解決手段】印刷等により任意の文字、画像等を表面に表示可能である表示面５と、この裏側の面に吸着性を有する吸着面９を有する表示用シート部材３と、内側の面が表示用シート部材３の表示面５に貼付けられ、外側の面が定着材を含まない書込み手段による書込み及びその消去が可能な性質を有する透明なフィルム１１と、表示用シート部材３の吸着面９に剥離可能に貼付けられ、吸着面９を吸着対象物の面に吸着させるときは吸着面９から剥離される吸着面保護シート１３とを備えた。従って、表示シート構造の表示用シート部材の使用上の操作性を向上させることができる。【選択図】図１
0003155579.tif 000002
【実用新案登録請求の範囲】
【請求項１】
印刷等により任意の文字、画像等を表面に表示可能である表示面と、この裏側の面に吸着性を有する吸着面を有する表示用シート部材と、
内側の面が前記表示用シート部材の表示面に貼付けられ、外側の面が定着材を含まない書込み手段による書込み及びその消去が可能な性質を有する透明なフィルムと、
前記表示用シート部材の吸着面に剥離可能に貼付けられ、前記吸着面を吸着対象物の面に吸着させるときは前記吸着面から剥離される吸着面保護シートと
を備えたことを特徴とする表示シート構造。
【請求項２】
前記表示面に表示された表示内容が自動車販売用の表示であることを特徴とする請求項１に記載の表示シート構造。
【考案の詳細な説明】
【技術分野】
【０００１】
本考案は、掲示対象物への取り付け・取外しが容易で、シート表面への書き込み・消去が何度でも可能な表示シート構造に関するものである。
【背景技術】
【０００２】
従来は、例えば、中古車を店頭において販売する際に、その販売する中古車のフロントガラスの前面又は裏面に、価格、仕様、年式、走行距離などの、その中古車に関する各種の情報を表示した紙や薄板状の表示部材が貼り付けられていた。このような従来の表示部材は、紙やアルミニウム箔等の金属などでできているものが主としてあり、さらに、中古車の価格等が表示されたマグネットパネルや、それらの表示を電気的にデジタル表示で表示できるような装置が付いたデジタル式のもの等もあった。
【０００３】
また、上記従来の表示部材の取り付けには、例えば、両面に糊等の粘着材を塗布した両面粘着テープなどが使われていた。また、上記従来の表示部材への書き込みには、例えば、表示内容を印刷などにより表示していたが、その表示を変更する場合には、その印刷された表示の上から、マジックインキ（商標名）のような、ペンタイプの筆記具により訂正や追記の書き込みをしたりしていた。
【考案の開示】
【考案が解決しようとする課題】
【０００４】
しかしながら、上記従来の表示部材は、例えば、それを取付けるときに、両面に粘着材を塗布した両面粘着テープを用いることにより、フロントガラスの前面又は裏面に貼り付けていたが、表示部材の取り外しの際には、きれいに剥がせずに糊等の粘着材がフロントガラスに残ることがある。それをそのままにしておくと、粘着材によごれが付着するので、その取り外しの都度フロントガラスに残った糊等の粘着材を取り除く必要があり、そのための手間がかかるという問題があった。
【０００５】
また、上記従来の表示部材は、その取付けに両面粘着テープを用いてフロントガラスに貼り付けていたが、表示部材を取り外した後に、また別の表示部材を新たに貼り付ける場合には、新しい粘着テープを使う必要がある。このため、粘着テープを多量に用意したり、その粘着テープを何度も貼り付ける手間がかかるという問題があった。
【０００６】
また、上記従来の表示部材は、その表示を変更するときは、印刷された表示の上から、定着材を含んだマジックインキなどの筆記具により訂正や追記をしたりしていたので、その筆記具により書き込んだ訂正や追記の表示を消すことができず、訂正や追記をする度に表示部材の表示が汚くなり、見栄えが悪くなるという問題があった。
【０００７】
また、上記従来の表示部材は、各種文字や画像等が表示されたマグネットパネルを用いることもできるが、その表示を変更する場合は別のマグネットパネルと交換する必要があり、別のマグネットパネルを多数用意しなければならず、またその管理も必要になるという問題があった。
【０００８】
また、上記従来のデジタル式の表示部材は、そのデジタル表示を変更することもできるが、表示変更の自由度に限界があり、定められた表示や変更しかできず、使用者の意思通りに柔軟に対応する表示をすることができないという問題があった。
【０００９】
そこで本考案は、上記問題点に鑑みて、使用上の操作性を向上させることができる表示シート構造を提供することを課題とするものである。
【課題を解決するための手段】
【００１０】
上記課題を解決するために、本考案による表示シート構造は、
印刷等により任意の文字、画像等を表面に表示可能である表示面と、この裏側の面に吸着性を有する吸着面を有する表示用シート部材と、
内側の面が前記表示用シート部材の表示面に貼付けられ、外側の面が定着材を含まない書込み手段による書込み及びその消去が可能な性質を有する透明なフィルムと、
前記表示用シート部材の吸着面に剥離可能に貼付けられ、前記吸着面を吸着対象物の面に吸着させるときは前記吸着面から剥離される吸着面保護シートと
を備えたことを特徴とするものである。
【００１１】
また、本考案による表示シート構造は、前記表示面に表示された表示内容が自動車販売用の表示であることを特徴とするものである。
【考案の効果】
【００１２】
このような本考案の表示シート構造によれば、
印刷等により任意の文字、画像等を表面に表示可能である表示面と、この裏側の面に吸着性を有する吸着面を有する表示用シート部材と、
内側の面が前記表示用シート部材の表示面に貼付けられ、外側の面が定着材を含まない書込み手段による書込み及びその消去が可能な性質を有する透明なフィルムと、
前記表示用シート部材の吸着面に剥離可能に貼付けられ、前記吸着面を吸着対象物の面に吸着させるときは前記吸着面から剥離される吸着面保護シートと
を備えたことにより、
表示用シート部材の取り付け・取外しを何回でも可能とし、取り付け・取外しの作業を容易にすることができ、表示内容の書き込み・消去を何回でも行なうことができるので、表示シート構造の表示用シート部材の使用上の操作性を向上させることができる。
また、定着材を含まない書込み手段により表示内容の書き込み、消去を何回でも行なうことができるので、状況や用途等に合わせて、その表示内容を迅速かつ容易に変更することができる。
【００１３】
また、このような本考案の表示シート構造によれば、
前記表示面に表示された表示内容が自動車販売用の表示であることにより、
表示面に表示された表示内容を見た者が、その表示は自動車販売用のものであるということを迅速かつ容易に理解できるようになる。
【図面の簡単な説明】
【００１４】
【図１】本考案の一実施の形態に係る表示シート構造１を示す拡大側面断面図である。
【図２】図１における表示シート構造１の表示用シート部材３の印刷表示７を示す正面図である。
【考案を実施するための最良の形態】
【００１５】
以下、本考案に係る表示シート構造の実施の形態について、図面に基づいて具体的に説明する。
図１，２は、本考案の一実施の形態に係る表示シート構造１について説明するために参照する図である。
【００１６】
本実施の形態に係る表示シート構造１は、図１に示すように、フィルム１１と、表示用シート部材３と、吸着面保護シート１３を備えている。また、表示用シート部材３は、表示面５と吸着面９を有しており、吸着面９には吸着面保護シート１３が剥離可能に取り付けられている。
【００１７】
表示用シート部材３の表示面５は、その表面に印刷等により任意の文字、画像等が表示されており、或は表示することができるようになっている。また、表示用シート部材３の表示面５には、ラミネート加工等によりフィルム１１の内側面が貼り付けられるようになっている。
【００１８】
フィルム１１には、透明な薄いフィルム材を用いており、このフィルム１１の材料には、フッ素樹脂等を材料として用いることができる。
このため、表示用シート部材３の表示面５に、印刷等により任意の文字、画像等が表示されている（図２中の自動車販売用の印刷表示７参照）場合には、その印刷表示７は、フィルム１１を通して外側から見ることができるようになっている。
【００１９】
例えば、自動車販売用の印刷表示７を表示用シート部材３の表示面５に印刷した場合には、図２に示すように、フィルム１１を通して印刷表示７を見た者が、その表示は自動車販売用のものであることを、迅速かつ容易に理解することができるようになっている。
【００２０】
フィルム１１の表面は、例えばホワイトボード用マーカー等の、定着剤を含まない専用のペン（書き込み手段）を用いることによって、文字等を書き込みすることができると共に、その書き込んだ文字等を消去することを可能とする性質を有するように、表面加工が施されている。
【００２１】
吸着面保護シート１３は、表示用シート部材３の吸着面９の保護を目的としてその吸着面９に吸着されており、表示シート構造１の表示用シート部材３を使用する際には、表示用シート部材３の吸着面９から容易に剥離できるようになっている。
【００２２】
表示用シート部材３の吸着面９は、例えば、その表面に無数の微小の吸盤９ａが形成されており、吸着面９を吸着対象物、例えば、自動車のフロントガラスの外側面に押付けると、吸着面９の表面の吸盤９ａから余分な空気が逃げるために、吸盤の機能を発揮して吸着対象物への吸着を可能とする性質を有している。
【００２３】
このとき、表示用シート部材３の吸着面９を吸着対象物へ吸着させたときには、その吸着のためには糊等の粘着材を用いていないことから、表示用シート部材３を取外すときには容易に取外すことができるようになっているので、取り付け・取外しが何回でも容易に可能となっている。このため、微妙な位置合わせや再度の取り付け等も容易にできるようになっている。
【００２４】
このような本考案の一実施の形態に係る表示シート構造１によれば、表示用シート部材３の取り付け・取外しを何回でも可能とすることができると共に、その取り付け・取外しの作業を容易にすることができ、さらに表示内容の書き込み・消去を何回でも行なうことができるので、使用上の操作性を向上させることができる。
また、定着剤を含まない専用のペンにより表示内容の書き込み、消去を何回でも行なうことができるので、状況や用途に合わせて、その表示内容を迅速かつ容易に変更することができる。
【００２５】
また、本考案の一実施の形態に係る表示シート構造１によれば、表示用シート部材３の印刷表示を見た者が、その表示は自動車販売用のものであるということを迅速かつ容易に理解できるようになる。
【００２６】
表示シート構造１の表示用シート部材３を使い終わったら、その吸着面９にまた吸着面保護シート１３を吸着させて、次の使用時迄保管しておくことができる。
【００２７】
なお、上記実施の形態では表示用シート部材３の印刷表示内容が自動車販売用のものの場合について説明したが、他の目的で使う印刷表示が表示されるものであってもよい。また、表示用シート部材３の表示は印刷以外の表示方法により表示したものであってもよい。
【００２８】
また、上記実施の形態では表示用シート部材３の印刷表示の例として、図２のような全体が白地であってその上に黒色の表示がなされている場合について説明したが、もちろんこのような実施の形態に限定されるわけではない。例えば全体が黒地であってその上に白色の表示がなされている場合であってもよく、或は地色が白や黒以外のどのような色であってもよい。また、地色が単一の色に限定されるわけではなく、地色が複数の色で、複数の領域に区分けされて表示されていてもよい。また、その地色の上に表示する色についても、地色に対して引き立つような対照的な色を用いることができることはいうまでもない。
【符号の説明】
【００２９】
１  表示シート構造
３  表示用シート部材
５  表示面
７  印刷表示
９  吸着面
９ａ  吸盤
１１  フィルム
１３  吸着面保護シート
【図１】
0003155579.tif 000003
【図２】
0003155579.tif 000004